(57)【特許請求の範囲】
【請求項１】
ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、
空欄表を記憶する手段と、
電子番組表の番組データを取得する手段と、
取得した番組データを前記空欄表の欄に配置して電子番組表を作成する手段と、
前記アクセス履歴に含まれるアクセスログ情報に係るウェブページの種類を検出する検出手段と、
該検出手段が検出した種類ごとに分けて、前記アクセス履歴に含まれるアクセスログ情報を並び替えるソート手段と、
該ソート手段が並び替えた順にアクセスログ情報が含むページ情報を配置したアクセス履歴表を作成する履歴表作成手段と
を備え、
前記履歴表作成手段は、前記取得した番組データが配置されていない状態の前記空欄表の欄に、前記アクセス履歴に含まれるアクセスログ情報の中で基準リンク階層以上のウェブページにアクセスしたアクセスログ情報が含むページ情報を配置してアクセス履歴表を作成するようにしてあることを特徴とするアクセス履歴表作成装置。
【請求項２】
ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、
空欄表を記憶する手段と、
電子番組表の番組データを取得する手段と、
取得した番組データを前記空欄表の欄に配置して電子番組表を作成する手段と、
前記通信手段によりアクセスしたウェブページのアクセス時間を特定する時間特定手段と、
該時間特定手段が特定したアクセス時間の長い順に、前記アクセス履歴に含まれるアクセスログ情報を並び替えるソート手段と、
該ソート手段が並び替えた順にアクセスログ情報が含むページ情報を配置したアクセス履歴表を作成する履歴表作成手段と
を備え、
前記履歴表作成手段は、前記取得した番組データが配置されていない状態の前記空欄表の欄に、前記アクセス履歴に含まれるアクセスログ情報の中で基準リンク階層以上のウェブページにアクセスしたアクセスログ情報が含むページ情報を配置してアクセス履歴表を作成するようにしてあることを特徴とするアクセス履歴表作成装置。
【請求項３】
ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、
空欄表を記憶する手段と、
電子番組表の番組データを取得する手段と、
取得した番組データを前記空欄表の欄に配置して電子番組表を作成する手段と、
前記通信手段によるウェブページのアクセス回数を特定する回数特定手段と、
前記通信手段によりアクセスしたウェブページのアクセス時間を特定する時間特定手段と、
前記回数特定手段が特定したアクセス回数の多さ及び前記時間特定手段が特定したアクセス時間を長さに基づいて、前記アクセス履歴に含まれるアクセスログ情報を並び替えるソート手段と、
該ソート手段が並び替えた順にアクセスログ情報が含むページ情報を配置したアクセス履歴表を作成する履歴表作成手段と
を備え、
前記履歴表作成手段は、前記取得した番組データが配置されていない状態の前記空欄表の欄に、前記アクセス履歴に含まれるアクセスログ情報の中で基準リンク階層以上のウェブページにアクセスしたアクセスログ情報が含むページ情報を配置してアクセス履歴表を作成するようにしてあることを特徴とするアクセス履歴表作成装置。
【請求項４】
前記履歴表作成手段は、格子状のアクセス履歴表を作成する請求項１乃至請求項３のいずれか１つに記載のアクセス履歴表作成装置。
【請求項５】
ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、
空欄表を記憶する手段と、
電子番組表の番組データを取得する手段と、
取得した番組データを前記空欄表の欄に配置して電子番組表を作成する手段と、
前記通信手段によるウェブページのアクセス回数を特定する回数特定手段と、
該回数特定手段が特定したアクセス回数の多い順に、前記アクセス履歴に含まれるアクセスログ情報を並び替えるソート手段と、
該ソート手段が並び替えた順にアクセスログ情報が含むページ情報を配置した格子状のアクセス履歴表を作成する履歴表作成手段と
を備え、
前記履歴表作成手段は、前記取得した番組データが配置されていない状態の前記空欄表の欄に、前記アクセス履歴に含まれるアクセスログ情報の中で基準リンク階層以上のウェブページにアクセスしたアクセスログ情報が含むページ情報を配置してアクセス履歴表を作成するようにしてあることを特徴とするアクセス履歴表作成装置。
【請求項６】
前記履歴表作成手段は、格子状の一角側より前記ソート手段が並び替えた順にページ情報を配置する請求項４又は請求項５に記載のアクセス履歴表作成装置。
【請求項７】
アクセス履歴に含まれるアクセスログ情報に係るウェブページの中からポータルサイトを検出するポータルサイト検出手段と、
該ポータルサイト検出手段が検出したポータルサイトにリンクするウェブページを、アクセス履歴に含まれるアクセスログ情報に係るウェブページの中から検出するリンクサイト検出手段とを備え、
前記履歴表作成手段は、前記ポータルサイト検出手段が検出したポータルサイトに応じたページ情報を格子状の一辺に沿って配置すると共に、前記リンクサイト検出手段が検出したウェブページに応じたページ情報を、該ウェブページがリンクするポータルサイトに応じたページ情報と同一の行又は列に配置する請求項４又は請求項５に記載のアクセス履歴表作成装置。
【請求項８】
前記履歴表作成手段は、一辺の一端側より前記ソート手段が並び替えた順にポータルサイトに応じたページ情報を配置すると共に、ウェブページに応じたページ情報を、該ウェブページがリンクするポータルサイトに応じたページ情報に隣接する箇所より前記ソート手段が並び替えた順に配置する請求項７に記載のアクセス履歴表作成装置。
【請求項９】
アクセス履歴に含まれるアクセスログ情報に係るウェブページの種類を検出する検出手段を備え、
前記ソート手段は、該検出手段が検出した種類ごとにアクセスログ情報を並び替えるようにしてある請求項２乃至請求項６のいずれか１つに記載のアクセス履歴表作成装置。
【請求項１０】
前記検出手段は、前記ウェブページの種類として、新聞系、検索系、買物系、ＴＶ系、またはリンク系の少なくとも１つを検出する請求項１又は請求項９に記載のアクセス履歴装置。
【請求項１１】
前記履歴表作成手段は、前記アクセス履歴に含まれるアクセスログ情報の中で基準期間内のアクセスログ情報が含むページ情報を配置するようにしてある請求項１乃至請求項１０のいずれか１つに記載のアクセス履歴表作成装置。
【請求項１２】
基準期間を受け付ける手段を備える請求項１１に記載のアクセス履歴表作成装置。
【請求項１３】
基準リンク階層を受け付ける手段を備える請求項１乃至請求項１２のいずれか１つに記載のアクセス履歴表作成装置。
【発明の詳細な説明】
【技術分野】
【０００１】
本発明は、ネットワーク上で公開されるウェブページへアクセスした履歴を載せたアクセス履歴表の中身をユーザのアクセス状況に応じて並び替えることで、アクセス履歴表の使い勝手を向上させたアクセス履歴表作成装置に関する。
【背景技術】
【０００２】
従来、インターネットのような広域のネットワーク上で公開されるウェブページへアクセスしてウェブページの閲覧を可能にしたネットワーク接続装置が存在する。このようなネットワーク接続装置としては、ネットワーク接続機能を具備したコンピュータ、ＰＤＡ、携帯電話機、テレビジョン装置、及び録画装置等が該当する。また、各種ネットワーク接続装置は、今までにアクセスしたウェブページへの再アクセスを容易にするために、アクセス履歴を記憶して、アクセス履歴表を表示可能にした機種も多い。なお、アクセス履歴表は、アクセスしたウェブページの名称又はＵＲＬ等のページ情報が配置されており、表中のページ情報が選択されると、そのページ情報に応じたウェブページへアクセスする仕様になっている。
【０００３】
上述したアクセス履歴表に関する機能は、ネットワーク接続装置がコンピュータ及びＰＤＡ等に該当する場合、ウェブページの閲覧プログラムに組み込まれていることが一般的である。また、従来の閲覧プログラムは、アクセス履歴表に配置されるページ情報の順序を特定する条件を選択できる仕様になっており、具体的には、今日表示したページ順、サイトを表示した回数順、サイト順（例えば、ウェブページ名のアルファベット順）、アクセスした日付順等の条件をユーザは選択できる。
【０００４】
なお、下記の特許文献１、２では、アクセス履歴に関する内容をツリー構造で表示することが開示されている。また、特許文献３においては、ウェブページのアクセス履歴を二次元的に複数系統管理して、過去に参照したウェブページへのアクセスを容易にする内容が開示されている。
【特許文献１】特開２０００−２２２４３３号公報
【特許文献２】特開２００３−４４３９２号公報
【特許文献３】特開２００５−１５７８４２号公報
【発明の開示】
【発明が解決しようとする課題】
【０００５】
従来の閲覧プログラムに組み込まれた機能を用いて作成されるアクセス履歴表は、縦一列にページ情報（ウェブページ名、ＵＲＬ等）を並べた構成であるため、表示できるページ情報数が少ないと云う問題がある。また、表中のページ情報の順序を並び替える条件が限られるため、各ページ情報をカテゴリ毎に分けて表示すること、ポータルサイトからリンクする系統ごとに分けて表示すること、アクセス時間を基準にして並び替えること等が行えず、表示されるアクセス履歴表の中身の配置順をユーザの望むものにマッチさせられない場合がある。
【０００６】
本発明は、斯かる事情に鑑みてなされたものであり、ユーザが望む条件、ユーザの使用状況等に合わせてアクセス履歴表の中身を並び替えてユーザの使い勝手を向上すると共に、アクセス履歴表の一覧性を高めるようにしたアクセス履歴表作成装置を提供することを目的とする。
【課題を解決するための手段】
【０００７】
上記課題を解決するために本発明に係るアクセス履歴表作成装置は、ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、前記アクセス履歴に含まれるアクセスログ情報に係るウェブページの種類を検出する検出手段と、該検出手段が検出した種類ごとに分けて、前記アクセス履歴に含まれるアクセスログ情報を並び替えるソート手段と、該ソート手段が並び替えた順にアクセスログ情報が含むページ情報を配置したアクセス履歴表を作成する履歴表作成手段とを備えることを特徴とする。
【０００８】
本発明にあっては、ウェブページの種類ごとに分けてアクセスログ情報のページ情報が配置されたアクセス履歴表が作成されるので、今までにアクセスしたウェブページの種類ごとにアクセス履歴表の中身が自動で整理されることになり、ユーザはウェブページの種類の観点で配置された多数のページ情報（例えば、ウェブページ名、ＵＲＬ等）の中から所望のものを判別しやすくなり、ユーザの使い勝手の向上を図れる。なお、ウェブページの種類ごとに分けることは、新聞系、検索系、買物系、テレビ系、リンク系、スポーツ系、映画系、ラジオ系と云うカテゴリ別に分けること、及びポータルサイトのリンク系統別に分けること等が該当する。
【０００９】
また、本発明に係るアクセス履歴表作成装置は、ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、前記通信手段によりアクセスしたウェブページのアクセス時間を特定する時間特定手段と、該時間特定手段が特定したアクセス時間の長い順に、前記アクセス履歴に含まれるアクセスログ情報を並び替えるソート手段と、該ソート手段が並び替えた順にアクセスログ情報が含むページ情報を配置したアクセス履歴表を作成する履歴表作成手段とを備えることを特徴とする。
【００１０】
本発明にあっては、アクセス時間の長い順にウェブページに係るアクセスログ情報のページ情報を並べたアクセス履歴表が作成されるので、実質的にユーザが使用する程度が高い順にページ情報が配置されるようになり、使用する程度の高いウェブページを選択しやすくしてユーザの使い勝手を向上できる。
【００１１】
さらに、本発明に係るアクセス履歴表作成装置は、ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、前記通信手段によるウェブページのアクセス回数を特定する回数特定手段と、前記通信手段によりアクセスしたウェブページのアクセス時間を特定する時間特定手段と、前記回数特定手段が特定したアクセス回数の多さ及び前記時間特定手段が特定したアクセス時間を長さに基づいて、前記アクセス履歴に含まれるアクセスログ情報を並び替えるソート手段と、該ソート手段が並び替えた順にアクセスログ情報が含むページ情報を配置したアクセス履歴表を作成する履歴表作成手段とを備えることを特徴とする。
【００１２】
本発明にあっては、アクセス回数及びアクセス時間の２つの要素に基づいてアクセスログ情報のページ情報を並べたアクセス履歴表が作成されるので、総合的にユーザが使用する可能性の高い順にページ情報が配置されるようになり、ユーザの閲覧可能性の高いウェブページを選択しやすくしてユーザの使い勝手を向上できる。
【００１３】
さらにまた、本発明に係るアクセス履歴表作成装置は、前記履歴表作成手段が、格子状のアクセス履歴表を作成することを特徴とする。
本発明にあっては、格子状のアクセス履歴表を作成するので、二次元的に多数のアクセスログ情報を配置できるようになり、一度に多くのアクセスログ情報を表示してアクセス履歴表の一覧性を高められる。
【００１４】
本発明に係るアクセス履歴表作成装置は、ネットワーク上で公開されるウェブページへアクセス可能な通信手段と、該通信手段がアクセスしたウェブページに係るアクセスログ情報を含むアクセス履歴を記憶する手段とを備え、該アクセス履歴に基づいてアクセス履歴表を作成するアクセス履歴表作成装置において、前記通信手段によるウェブページのアクセス回数を特定する回数特定手段と、該回数特定手段が特定したアクセス回数の多い順に、前記アクセス履歴に含まれるアクセスログ情報を並び替えるソート手段と、該ソート手段が並び替えた順にアクセスログ情報が含むページ情報を配置した格子状のアクセス履歴表を作成する履歴表作成手段とを備えることを特徴とする。
【００１５】
本発明にあっては、アクセス回数の多い順にアクセスログ情報を並び替えた格子状のアクセス履歴表が作成されるので、アクセス頻度の高い順にページ情報が並び、アクセス頻度の高いウェブページを選択しやすくしてユーザの使い勝手を向上できると共に、アクセス履歴表を格子状にすることで多数のページ情報を一度に表示でき、アクセス履歴表の一覧性も高められる。
【００１６】
また、本発明に係るアクセス履歴表作成装置は、前記履歴表作成手段が、格子状の一角側より前記ソート手段が並び替えた順にページ情報を配置することを特徴とする。
【００１７】
本発明にあっては、格子状の一角側から順にページ情報を配置するので、二次元的な配置において対角線の方向でユーザのアクセス程度が大きいものから低いものへと並べることができ、直感的なユーザインタフェースを提供できる。例えば、一角側として格子状の左上から最もアクセス程度の高いページ情報を配置すると、右下付近に配置されるものはアクセス程度が低いものとなり、ユーザとしては格子状の左上付近に注目すれば、アクセスすることが多いウェブページのページ情報が位置し、格子状のアクセス履歴表でも良好な使い勝手を提供できる。
【００１８】
さらに、本発明に係るアクセス履歴表作成装置は、アクセス履歴に含まれるアクセスログ情報に係るウェブページの中からポータルサイトを検出するポータルサイト検出手段と、該ポータルサイト検出手段が検出したポータルサイトにリンクするウェブページを、アクセス履歴に含まれるアクセスログ情報に係るウェブページの中から検出するリンクサイト検出手段とを備え、前記履歴表作成手段は、前記ポータルサイト検出手段が検出したポータルサイトに応じたページ情報を格子状の一辺に沿って配置すると共に、前記リンクサイト検出手段が検出したウェブページに応じたページ情報を、該ウェブページがリンクするポータルサイトに応じたページ情報と同一の行又は列に配置することを特徴とする。
【００１９】
本発明にあっては、アクセス履歴の中から各種サイトにリンクするポータルサイト（玄関サイト）をウェブページの種類の一つとして検出すると共に、そのポータルサイトにリンクするウェブページを検出し、一辺側に配置したポータルサイトのページ情報に対応させて、リンクするウェブページのページ情報を配置するので、ポータルサイト別でアクセスする程度が高いアクセス履歴表を作成できる。そのため、今までにアクセスしたウェブページがポータルサイトのリンク系統ごとに自動で整理されることになり、ユーザはポータルサイトからリンクすると云う観点で所望のサイトを判別しやすくなり、ユーザの使い勝手の向上を図れる。なお、ポータルサイトの検出は例えば、ポータルサイトのＵＲＬ一覧をアクセス履歴表作成装置が予め記憶しておき、アクセス履歴表に含まれるウェブページと、ポータルサイトのＵＲＬ一覧とが一致するか否かで行うことが考えられる。また、リンクするウェブページの検出は例えば、ポータルサイトのＵＲＬ一覧に含まれるＵＲＬを、検出対象のウェブページのＵＲＬが含むか否かで行うことが考えられる。
【００２０】
さらにまた、本発明に係るアクセス履歴表作成装置は、前記履歴表作成手段は、一辺の一端側より前記ソート手段が並び替えた順にポータルサイトに応じたページ情報を配置すると共に、ウェブページに応じたページ情報を、該ウェブページがリンクするポータルサイトに応じたページ情報に隣接する箇所より前記ソート手段が並び替えた順に配置することを特徴とする。
【００２１】
本発明にあっては、ポータルサイトのページ情報に対しては、アクセス程度の高いものから順に表枠の一辺の一端側より並べると共に、リンクする各ウェブページのページ情報は、アクセス頻度の高いものから順にポータルサイトのページ情報に隣接する箇所より並べるので、ポータルサイト及びリンクする各ウェブページの各ページ情報が一定の規則に従ってアクセス程度の高い順に配置されるようになり、ポータルサイトをベースに所望のウェブページを見つけやすくしてユーザの使い勝手を向上できる。
【００２２】
本発明に係るアクセス履歴表作成装置は、アクセス履歴に含まれるアクセスログ情報に係るウェブページの種類を検出する検出手段を備え、前記ソート手段は、該検出手段が検出した種類ごとにアクセスログ情報を並び替えるようにしてあることを特徴とする。
【００２３】
本発明にあっては、アクセス時間の長さ又はアクセス回数の多さの少なくとも一方の順に従ってアクセスログ情報を並び替える場合に、ウェブページの種類ごとに分けてアクセスログ情報のページ情報を配置したアクセス履歴表を作成するので、アクセス程度の高いウェブページのページ情報がジャンル分けされて自動で整理されるため、より使い勝手の向上したアクセス履歴表をユーザに提供できる。
【００２４】
また、本発明に係るアクセス履歴表作成装置は、前記履歴表作成手段が、前記アクセス履歴に含まれるアクセスログ情報の中で基準期間内のアクセスログ情報が含むページ情報を配置するようにしてあることを特徴とする。
【００２５】
本発明にあっては、基準期間内にアクセスしたウェブページのページ情報がアクセス履歴表に配置されるので、過去にアクセス程度が大きかったが最近は興味を失ってアクセスしていないようなウェブページをアクセス履歴表に載せる対象から排除され、ユーザの現在の興味内容にマッチしたウェブページを選別した状態で且つユーザの使い勝手に合わせた内容のアクセス履歴表をユーザに提示できる。
【００２６】
さらに、本発明に係るアクセス履歴表作成装置は、基準期間を受け付ける手段を備えることを特徴とする。
本発明にあっては、アクセス履歴表の載せる対象を選別する基準（基準期間）を受付可能とするので、ユーザの感覚に合わせて基準期間を設定できる。例えば、興味が長く持続するタイプのユーザであれば基準期間として半年以上の期間を基準期間として設定することが好適である。一方、興味が持続しにくいタイプのユーザの場合は基準期間として３か月以下の期間を基準期間として設定すれば、常に興味対象に関連するウェブページのページ情報がアクセス履歴に載るようになり、ユーザの現状の興味対象に応じたアクセス履歴表を提供できる。
【００２７】
また、本発明に係るアクセス履歴作成表装置は、前記履歴表作成手段が、前記アクセス履歴に含まれるアクセスログ情報の中で基準リンク階層以上のウェブページにアクセスしたアクセスログ情報が含むページ情報を配置するようにしてあることを特徴とする。
【００２８】
本発明にあっては、アクセスしたウェブページの中で基準リンク階層以上のウェブページのページ情報を配置してアクセス履歴表を作成するので、基準リンク階層より深い層のウェブページのページ情報がユーザには提示されなくなる。一般的に各ウェブサイトは複数のウェブページを階層的にリンクして構成されるため、ユーザがアクセスする全層のウェブページのページ情報をアクセス履歴表に配置すると、アクセス履歴表の中身が細かく煩雑したものになる。そのため、上述したように、ある階層より深いページ情報を載せないようにして、アクセス履歴表を見やすい内容にできる。
【００２９】
さらに、本発明に係るアクセス履歴表作成装置は、基準リンク階層を受け付ける手段を備えることを特徴とする。
【００３０】
本発明にあっては、アクセス履歴表から除外する基準（基準リンク階層）を受付可能とするので、ユーザが良く使用するウェブページの階層に合わせて基準リンク階層を設定できる。例えば、オークションサイトの特定の商品を探すことに興味を有するユーザであれば、このような商品を扱うウェブページは一般に深い階層に位置するため、基準リンク階層としては４〜８程度の数値を設定することが好適である。一方、幅広くサイト閲覧を行うタイプのユーザの場合は基準リンク階層として２、３程度の数値を設定すれば、アクセス履歴表に配置されるウェブページのページ情報を上位層の主要なものに絞ることができ、見やすいアクセス履歴表を作成できる。
【００３１】
さらにまた、本発明に係るアクセス履歴表作成装置は、空欄表を記憶する手段と、電子番組表の番組データを取得する手段と、取得した番組データを前記空欄表の欄に配置して電子番組表を作成する手段とを備え、前記履歴表作成手段は、前記空欄表の各欄にアクセスログ情報が含むページ情報を配置してアクセス履歴表を作成するようにしてあることを特徴とする。
【００３２】
本発明にあっては、アクセス履歴表作成装置が、テレビジョン機能を具備し、電子番組表の作成が可能であるときは、電子番組表の作成に用いる空欄表をアクセス履歴表にも用いることで、空欄表の利用度を高めて、アクセス履歴表作成に係るプログラム開発及び工期の短縮を図れると共に、アクセス履歴表の操作性が電子番組表に対する操作に統一されるため、アクセス履歴表に対する操作の容易化を図れる。
【発明の効果】
【００３３】
本発明にあっては、種類ごとに分けてウェブページのページ情報を配置したアクセス履歴表を作成するので、今までにアクセスしたウェブページのページ情報をユーザが見やすいように、種類ごとに整理でき、アクセス履歴表の使い勝手を向上できる。
本発明にあっては、アクセス時間の長い順にアクセスログ情報を並び替えてページ情報を配置したアクセス履歴表を作成するので、ユーザが使用する程度が高い順にページ情報を並べることができ、アクセス履歴表の中身をユーザの使い勝手に合わせて整理できる。
【００３４】
本発明にあっては、アクセス回数及びアクセス時間の２つの要素に基づいてアクセスログ情報を並び替えるので、総合的にユーザが使用する可能性の高い順にページ情報を配置でき、アクセス履歴表の使い勝手を向上できる。
【００３５】
本発明にあっては、格子状のアクセス履歴表を作成するので、二次元的に多数のページ情報を配置してアクセス履歴表の一覧性を高められる。
本発明にあっては、アクセス回数の多い順にアクセスログ情報を並び替えて格子状のアクセス履歴表を作成するので、アクセス頻度の高い順に多くのページ情報を配置でき、アクセス履歴表の使い勝手及び一覧性を向上できる。
本発明にあっては、格子状の一角側から順にページ情報を配置するので、二次元的な配置において対角線の方向でユーザのアクセス程度が大きいものから低いものへと並べ、アクセス履歴表に配置されたページ情報の判別性を高められる。
【００３６】
また、本発明にあっては、アクセス履歴の中からポータルサイトを検出すると共に、そのポータルサイトにリンクするウェブページを検出し、一辺側に配置したポータルサイトの画面ページに対応させてリンクする各ウェブページのページ情報を配置するので、ポータルサイト別にユーザが見やすいアクセス履歴表を作成できる。
さらに、本発明にあっては、ポータルサイトのページ情報を、アクセス程度の高い順に一辺の一端側より並べると共に、各ウェブページのページ情報を、アクセス程度の高いものから順にポータルサイトのページ情報に隣接する箇所より並べるので、ポータルサイト及びリンクするウェブページの各ページ情報が一定の規則に従ってアクセス程度の高い順に並び、ポータルサイト別のアクセス履歴表に対する使い勝手を向上できる。
【００３７】
本発明にあっては、アクセス時間の長さ又はアクセス回数の多さの少なくとも一方の順に従ってウェブページを並び替える場合に、種類ごとに分けてページ情報を配置したアクセス履歴表を作成するので、種類別にアクセス程度の高いウェブページのページ情報を容易にユーザが判別できる。
【００３８】
本発明にあっては、基準期間内にアクセスしたウェブページのページ情報をアクセス履歴表に配置するので、過去のアクセス状況に影響されることなく直近のアクセス状況を反映したアクセス履歴表を作成できる。
また、本発明にあっては、一定のウェブページを期間的に除外する基準期間を受付可能とするので、ユーザのアクセス状況に応じて基準期間を設定でき、ユーザの使い勝手に応じたアクセス履歴表を作成できる。
【００３９】
本発明にあっては、基準リンク階層以上のウェブページのページ情報を配置するので、下位層のウェブページを除外して見やすいアクセス履歴表を表示できる。
また、本発明にあっては、アクセス履歴表から階層的に除外する基準リンク階層を受付可能にするので、ユーザの使用対象となるページ階層に合わせて基準リンク階層を設定でき、ユーザの使い勝手に応じたアクセス履歴表を作成できる。
【００４０】
本発明にあっては、アクセス履歴表作成装置がテレビジョン機能を具備すると共に、電子番組表の作成が可能である場合、電子番組表の作成に用いる空欄表をアクセス履歴表にも用いるので、電子番組表用の空欄表の利用度を高めて、アクセス履歴表作成に係るプログラム開発及び工期の短縮を図れると共に、アクセス履歴表の操作性を電子番組表に対する操作に統一して操作の容易化を図れる。
【発明を実施するための最良の形態】
【００４１】
図１は、本発明の実施形態に係るテレビジョン装置１の外観を示している。テレビジョン装置１は本来の放送番組を受信して表示すると云う機能に加えて、ネットワークＮＷとの接続機能を具備している。そのため、本実施形態のテレビジョン装置１は、ネットワーク上で公開される各種ウェブページにアクセスしてウェブページ画面を表示すると共に、アクセスしたウェブページのアクセス履歴に基づいてアクセス履歴表を作成して表示するアクセス履歴表作成装置としても機能する。なお外観的には、テレビジョン装置１は筐体１ａの前面中央に液晶製の表示パネル１ｂを配置し、表示パネル１ｂの左右両側にスピーカ１ｃ、１ｄを配置している。
【００４２】
図２は、テレビジョン装置１の主要な内部構成を示すブロック図である。テレビジョン装置１は、テレビジョン放送の受信系の処理を行うフロントエンド部２、受信した内容の移行系の処理を行うトランスポート部３、ＭＰＥＧ（Moving Picture Experts Group）変換系の処理を行うＭＰＥＧデコード部４、ＲＯＭ５、ＲＡＭ６、補助メモリ７、リモコン装置１５用の受光部８、操作部９、ネットワーク通信を行うための通信部１０、及び各種制御を行うＣＰＵ１１を内部バス及び専用線等で接続した構成にしている。以下、上述した各部を順次説明する。
【００４３】
フロントエンド部２は、チューナ部２ａ、復調回路部２ｂ、及び誤り訂正部２ｃを含んでいる。チューナ部２ａはＢＳ／ＣＳ系等のアンテナと接続されて放送電波を受信する処理を行う。また、チューナ部２ａは、電子番組表の番組データを取得する手段としても機能し、所定の時刻に送信される番組データを取得すると共に、取得した番組データを補助メモリ７へ送る処理も行う。復調回路部２ｂは、チューナ部２ａで受信された放送電波の信号をデジタル復調する。誤り訂正部２ｃは、デジタル復調された信号に対して誤りに関する修復及び訂正等の処理を行い、ＭＰＥＧ符号化状態のトランスポートストリームデータとして再生処理を行う。
【００４４】
トランスポート部３は、トランスポートデコーダ部３ａを備え、このトランスポートデコーダ部３ａは、フロントエンド部２から送られるトランスポートストリームデータの処理をＣＰＵ１１の制御に基づき行う。詳しくは、ＭＰＥＧ符号化されているトランスポートストリームデータとして再生されたデータ中の放送映像信号、放送音声信号、及びデータ信号をそれぞれ分離する処理をトランスポートデコーダ部３ａが行っている。
【００４５】
ＭＰＥＧデコード部４は、ＭＰＥＧ符号化されている放送映像信号及び放送音声信号を復号化し、図１で示す表示パネル１ｂにおける表示制御を行う表示処理部１ｅ、及びスピーカ１ｃ、１ｄから音声を出力するための処理を行う音声出力処理部１ｆへ映像信号及び音声信号をそれぞれ供給している。このような処理を行うために、ＭＰＥＧデコード部４は、ＭＰＥＧデコーダ４ａ、ＯＳＤ（On Screen Display）表示部４ｂ、ビデオエンコーダ４ｃ、及び音声ＤＡＣ（Digital to Analog Converter）４ｄを備える。
【００４６】
ＭＰＥＧデコーダ４ａは、トランスポートデコーダ部３ａで分離されたＭＰＥＧ符号化状態の放送映像信号及び放送音声信号に対してデータ復調（復号）を行い、復調したデータをビデオエンコーダ４ｃ及び音声ＤＡＣ４ｄへ送る。ＯＳＤ表示部４ｂは、各種メニュー（図８（ａ）（ｂ）参照）、及び電子番組表（図５参照）等を、図１の表示パネル１ｂに表示するためのＯＳＤ信号を生成してビデオエンコーダ４ｃへ送る処理をＣＰＵ１１の制御に基づき行う。ビデオエンコーダ４ｃは、ＭＰＥＧデコーダ４ａでデータ復調された放送映像信号とＯＳＤ表示部４ｂから供給されるＯＳＤ信号とを重畳した映像信号を生成し、表示処理部１ｅへ出力する処理を行う。音声ＤＡＣ４ｄは、ＭＰＥＧデコーダ４ａでデータ復調された放送音声信号に基づき音声信号を生成し、音声出力処理部１ｆへ出力する処理を行う。
【００４７】
また、ＲＯＭ（Read Only Memory）５は図３（ａ）に示すように、ＣＰＵ１１が行う各種制御処理を規定したシステムプログラムＰ１、図５に示す電子番組表３１及び図１０〜１２に示す格子状の各種アクセス履歴表４０〜４２を作成するためのＣＰＵ１１用の処理を規定した表作成プログラムＰ２、及び図８（ａ）（ｂ）に示す条件設定用の第１メニュー５０及び第２メニュー５１等に応じたメニュー画像Ｇなどを予め記憶している。
【００４８】
なお、図８（ａ）の第１メニュー５０は、テレビジョン装置１の設定準備段階で表示されるものであり、テレビジョン装置１が作成するアクセス履歴表の設定条件の選択をユーザから受け付けるために、選択可能な第１ボタン５０ａ〜第６ボタン５０ｆを有する。第１ボタン５０ａは、ウェブページの種類としてカテゴリ別に今までアクセスしたページ情報を並べたアクセス履歴表を表示する場合に選択されるものであり、第２ボタン５０ｂは、ウェブページの種類としてポータルサイト別に今までアクセスしたページ情報を並べたアクセス履歴表を表示する場合に選択されるものである。また、第３ボタン５０ｃは、アクセス回数の多い順にページ情報を並べたアクセス履歴表を表示する場合に選択されるものであり、第４ボタン５０ｄは、アクセス時間の長い順にページ情報を並べたアクセス履歴表を表示する場合に選択されるものであり、第５ボタン５０ｅは、アクセス回数及びアクセス時間の両方の程度に基づいてページ情報を並べたアクセス履歴表を表示する場合に選択されるものである。なお、第６ボタン５０ｆは、詳細設定を行う場合に選択されるものであり、選択されると第２メニュー５１が表示されるようになっている。
【００４９】
図８（ｂ）の第２メニュー５１は、アクセス履歴表に配置するページ情報の範囲を設定するためのものであり、基準期間の設定を受け付ける手段に相当する期間欄５１ａと、基準リンク階層の設定を受け付ける手段に相当する階層欄５１ｂを設けている。基準期間とは、アクセス履歴表に配置するウェブページのページ情報を現時点から過去の一定の期間までにアクセスしたものに限定するものであり、例えば「３日」が基準期間として設定されれば、現時点から３日より過去（３日を含まず）にアクセスされたウェブページのページ情報はアクセス履歴表から除外されることになる。
【００５０】
また、基準リンク階層とは、アクセス履歴表に配置するウェブページのページ情報を、トップページから何階層目までのものに限定するものである。ウェブサイトは通常、図９に示すように、複数のウェブページを階層的にリンクした構造になっており、１層目に位置するトップページから、２層目、３層目・・・と様々なウェブページがリンクしている。そのため、基準リンク階層として３層目を設定すると、４層目以下のウェブページはユーザがアクセスしていても、それらのウェブページに応じたページ情報がアクセス履歴表に配置されなくなり、ユーザの使用状況に応じて基準リンク階層を設定可能になっている。また、図８（ａ）（ｂ）のメニュー５０、５１は、メニュー画像Ｇが含む内容の一例であり、ＲＯＭ５に記憶されるメニュー画像Ｇは、他の種類のメニューも多数含んでいる。
【００５１】
さらに、図３（ａ）のＲＯＭ５に記憶されるシステムプログラムＰ１は、映像表示及び音声出力を行うためにＣＰＵ１１が各部２、３、４等に対して行う制御処理を規定する。また、システムプログラムＰ１は、テレビジョン装置１のネットワーク接続機能（通信機能）に対応したＣＰＵ１１の処理も規定し、例えば、ＴＣＰ／ＩＰプロトコルに基づき通信を行う内容、所定のウェブページへアクセスするための内容、アクセスしたウェブページに係るアクセスログ情報を作成すると共に、アクセスログ情報をアクセス履歴２２に蓄積して補助メモリ７に記憶するための内容、受信したウェブページを表示パネル１ｂで表示するためのブラウザ機能に対応した内容等に対する処理も含んでいる。
【００５２】
また、ＲＯＭ５に記憶される表作成プログラムＰ２は、上述したシステムプログラムＰ１が規定する処理と連動して各種表（図５の電子番組表３１、図１０〜１２のアクセス履歴表４０〜４２）を作成する内容を規定している。さらに、表作成プログラムＰ２は、電子番組表３１を作成するために使用される表データＤを含んでおり、この表データＤを用いてアクセス履歴表４０〜４２を作成することを規定している。
【００５３】
図４は、表データＤの中身を概略的に表した空欄表３０を示している。空欄表３０は、水平方向（図中のＸ方向）及び垂直方向（図中のＹ方向）にそれぞれ伸びる複数の行（Ｙ１、Ｙ２・・・）及び列（Ｘ１、Ｘ２・・・）を有して多数の欄を形成した格子状の矩形表である。空欄表３０は、各欄に様々な内容（データ、情報等）を配置できる共に、リモコン装置１５による操作で各欄は選択可能になっており、選択された欄に配置された内容をＣＰＵ１１へ伝達する仕様になっている。なお、空欄表３０に付したＸ１、Ｘ２・・・、Ｙ１、Ｙ２・・・の文字は、空欄表３０の説明のために表したものであり、表示パネル１ｂでの表示の際は示されない。また、図４に示した空欄表３０は表の一部であり、列Ｘ８及び行Ｙ８以降にも多数の列及び行が続いている。
【００５４】
図２に戻り各部の説明を続ける。ＲＡＭ（Random
Access Memory）６は、ＣＰＵ１１が行う処理に基づく各種データ等を一時的に記憶するものであり、本実施形態ではワークエリアとして各種表の作成時に使用される。即ち、ＲＡＭ６において、ＲＯＭ５から読み出された表データＤの空欄表３０に様々な内容を配置する作業が行われて、図５、１０〜１２に示すような各種表が作成される。
【００５５】
また、補助メモリ７は表の作成に使用される様々なデータ等を記憶する手段に相当している。具体的には図３（ｂ）に示すように、チューナ部２ａで取得された番組データ２０、各アクセス履歴表４０〜４２等で使用される項目データ２１、アクセス履歴２２、ポータルサイト一覧テーブル２３、ポイントテーブル２４、設定条件２５、基準期間２６、基準リンク階層２７等が補助メモリ７に記憶される。
【００５６】
補助メモリ７に記憶される番組データ２０の中身は、図５に示す電子番組表３１において、空欄表３０の各欄に配置される内容のデータに相当し、例えば、左端の列Ｘ１に上から順に配置される「ＣＨ」と云う文字データ、「６」及び「１」等のチャンネルを表す数字データ、列Ｘ２に上から順に配置される「ＢＳ放送局」、「○○放送」等の文字データ、列Ｘ３に上から順に配置される「９／１６（土）午前９時」、「番組Ａ」等の文字データが該当する。なお、番組データ２０に含まれる各データの配置先となる欄は、表作成プログラムＰ２に規定された内容に従って決定される。
【００５７】
また、図３（ｂ）の項目データ２１は、補助メモリ７にデフォルトで記憶されており、その中身は、図１０のアクセス履歴表４０における左端の列Ｘ１に順次配置される「新聞系」、「検索系」、「買物系」、「ＴＶ系」、「リンク系」、「その他」と云うウェブページの種類（カテゴリ）項目を表す文字データが該当する。さらに、図１２のアクセス履歴表４２における左端の列Ｘ１に配置される「１〜４位」、「５〜８位」、「９〜１２位」等の順位項目を表す文字データ等も、項目データ２１に該当する。
【００５８】
図６は、補助メモリ７に記憶されるアクセス履歴２２の中身を示している。アクセス履歴２２は、テレビジョン装置１がウェブページへアクセスするごとに、ＣＰＵ１１の制御に基づき作成されるアクセスに関する情報であるアクセスログ情報２２ａ〜２２ｘを蓄積したものである。本実施形態のアクセスログ情報２２ａ〜２２ｘは、アクセスされたウェブページ名、そのウェブページのＵＲＬ（ウェブページへアクセスするためのデータに相当）、アクセス日時、そのウェブページにアクセスしていたアクセス時間（そのウェブページをユーザが閲覧していた時間に相当）、カテゴリ（ウェブページの種類）等の情報を含んでおり、ウェブページ名及びＵＲＬ等がページ情報に該当する。アクセス履歴２２はアクセスログ情報を随時追加できるように、一種のデータベース構造になっており、最新のアクセスログ情報を順次、追加蓄積していく。
【００５９】
なお、アクセスログ情報２２ａ〜２２ｘに含まれるカテゴリとは、各種検索サイトが検索時に用いる検索データベースに設定されているものであり、例えば「新聞系」、「検索系」、「買物系」、「ＴＶ系」、「リンク系」等の分類名があり、検索サイトの検索結果を通じてウェブページへアクセスした場合、そのウェブページの属するカテゴリの分類名がアクセスログ情報に含まれるようになっている。そのため、ＵＲＬ入力でアクセスした場合、及びアクセスしたウェブページのカテゴリが設定されていないときは、アクセスログ情報のカテゴリには、「その他」が入れられる。
【００６０】
また、図７（ａ）は、ポータルサイト一覧テーブル２３の中身を示している。ポータルサイト一覧テーブル２３はデフォルトで補助メモリ７に記憶されており、ポータルサイトの名称と、そのポータルサイトに対応するＵＲＬとを蓄積した内容になっている。このポータルサイト一覧テーブル２３は、図８（ａ）の第１メニュー５０で第２ボタン５０ｂが選択された場合に、アクセス履歴２２に含まれる各アクセスログ情報に応じたウェブページがポータルサイトであるか否かを検出する際の参照に使用される。
【００６１】
図７（ｂ）は、ポイントテーブル２４の中身を示している。ポイントテーブル２４もデフォルトで補助メモリ７に記憶されており、アクセス回数及びアクセス時間のそれぞれに対応してポイントが規定された内容になっている。例えば、アクセス回数の２回は、ポイントが「２」であり、アクセス時間が９分であれば、ポイントは「４」になる。このポイントテーブル２４は、図８（ａ）の第１メニュー５０で第５ボタン５０ｅが選択された場合に、アクセス回数及びアクセス時間に基づいてアクセスログ情報の並び替えを行う際に使用され、ポイントの大きい順に並び替えが行われる。
【００６２】
また、図３（ｂ）の補助メモリ７に記憶される設定条件２５は、図８（ａ）の第１メニュー５０で第１ボタン５０ａ〜第５ボタン５０ｅに対応するいずれの内容が条件として設定されているかを格納するものであり、デフォルトでは「カテゴリ別」が格納されている。さらに、基準時間２６は、図８（ｂ）の第２メニュー５１における期間欄５１ａで設定された内容（数値）が格納され、デフォルトは「１ヶ月」になっている。さらにまた、基準リンク階層２７は、図８（ｂ）の第２メニュー５１における階層欄５１ｂで設定された内容（数値）が格納され、デフォルトは「３層目」になっている。
【００６３】
再度、図２に戻り説明を続ける。受光部８は、テレビジョン装置１の筐体１ａとは別体のリモコン装置１５から遠隔操作用の信号光（赤外光）を受光するものであり、受光した信号光に含まれる操作内容をＣＰＵ１１へ伝える処理を行う。なお、リモコン装置１５は上下左右キー、決定キー、電子番組表３１の表示指示を受け付ける番組表キー１５ａ、アクセス履歴表の表示指示を受け付けるアクセス履歴キー１５ｂ、及び図８（ａ）の第１メニュー５０等を表示してアクセス履歴表の作成等に関する設定指示を受け付ける設定キー１５ｃ等の多数のキーを具備している。また、操作部９は、図１に示すテレビジョン装置１の本体（筐体１ａの上部）に設置されており、音量調整、チャンネル調整、入力切替等に対応した複数の操作キーを有する。
【００６４】
通信部１０は、ネットワークＮＷに接続される通信インタフェースを含み、ネットワークＮＷ上で公開されるウェブページへアクセスする通信手段として機能し、ＣＰＵ１１の制御に基づき指定されるサーバへアクセスして各種データの送受を行う。なお、通信部１０は、ネットワークＮＷを介して電子番組表３１の番組データが配信されているときは、ネットワーク経由で番組データを取得する手段にも該当する。
【００６５】
最後にＣＰＵ１１は、上述した各部２、３・・・１０等を制御して表示画面１ｂにユーザが望む画像（例えば、放送番組の画像、ウェブページの画像等）を表示する処理を行うと共に、スピーカ１ｃ、１ｄから各種音声を出力するための制御処理を行う。これらテレビジョン装置１としての基本的な作動に対して、ＣＰＵ１１は主にＲＯＭ５に記憶されるシステムプログラムＰ１の規定内容に基づき制御を行う。さらにＣＰＵ１１は、ＲＯＭ５の表作成プログラムＰ２の規定内容に基づきソート手段、及び履歴表作成手段等として機能し、図５の電子番組表３１の作成に用いる空欄表３０を、図１０〜１２に示す各種アクセス履歴表４０〜４２の作成にも利用して空欄表３０の有効活用を図っている。以下、ＣＰＵ１１の制御に基づく電子番組表３１、アクセス履歴表４０〜４２の作成等に関する処理内容を順次説明する。
【００６６】
先ず、電子番組表３１を作成する処理は、リモコン装置１５の番組表キー１５ａがユーザにより操作されることで開始する。番組表キー１５ａがユーザに操作されたことがＣＰＵ１１へ伝えられると、ＣＰＵ１１はＲＯＭ５から表データＤを読み出してＲＡＭ６に空欄表３０として展開すると共に、補助メモリ７に記憶された番組データ２０を読み出し、番組データ２０に含まれる番組に係る各種内容を空欄表３０の各欄に適宜配置して図５に示す電子番組表３１を作成する。それからＣＰＵ１１は、作成した電子番組表３１をＯＳＤ表示部４ｂへ送り、ＯＳＤとして電子番組表３１を表示パネル１ａに表示する。なお、表示パネル１ａに表示された状態ではＯＳＤ表示部４ｂにおける処理により、電子番組表３１に上下スクロールバー３２ａ及び左右スクロールバー３２ｂが追加されており、各スクロールバー３２ａ、３２ｂをリモコン装置１５で操作することで、空欄表３０に各種内容が配置された範囲で電子番組表３１をスクロール可能にしている（スクロールについては、アクセス履歴表４０〜４２でも同様）。
【００６７】
また、電子番組表３１の各欄に配置された内容は、リモコン装置１５の上下左右キー及び決定キーにより選択可能になっており、例えば、電子番組表３１中の欄（Ｘ３、Ｙ３）に配置された番組Ｂが選択された場合、番組Ｂの選択の旨がＣＰＵ１１へ伝えられ、ＣＰＵ１１は番組Ｂの△△テレビを受信するようにチューナ部２ａを制御する。
【００６８】
次に、図１０〜１２のアクセス履歴表４０〜４２を作成する処理を説明する。アクセス履歴表４０〜４２の作成は、リモコン装置１５のアクセス履歴キー１５ｂがユーザに操作されることで開始される。アクセス履歴キー１５ｂの操作がＣＰＵ１１へ伝えられると、ＣＰＵ１１は表データＤを読み出してＲＡＭ６に空欄表３０として展開すると共に、補助メモリ７に記憶されている項目データ２１及びアクセス履歴２２をＲＡＭ６へ読み出す。それから、ＣＰＵ１１は、補助メモリ７の設定条件２５、基準期間２６、基準リンク階層２７のそれぞれに格納された内容に従って、ＲＡＭ６に読み出したアクセス履歴２２に含まれるアクセスログ情報２２ａ〜２２ｘの並び替えを行う。
【００６９】
並び替えの際、先ずＣＰＵ１１は補助メモリ７に記憶されている基準期間２５及び基準リンク階層２７の数値に基づき、並び替え対象となるアクセスログ情報の絞り込みを行う。具体的には、基準期間２５（例えば、１ヶ月）についてＣＰＵ１１は、自身のカレンダー機能を用いて現在の日時を特定し、特定した日時から基準期間前となる境界日時を特定する。この境界日時と、アクセスログ情報に含まれるアクセス日時とをＣＰＵ１１は比較を行い、境界日時より古いアクセス日時を含むアクセスログ情報を並び替え対象から除外する。
【００７０】
また、ＣＰＵ１１は、基準リンク階層２７に対して、上述した基準期間２５での排除処理で残ったアクセスログ情報に含まれるＵＲＬのスラッシュ（／）の数、スラッシュ以降に含まれる記号（ハテナマーク等）に基づき、そのアクセスログ情報に係るウェブページの階層を特定し、特定した階層と、基準リンク階層２７とを比較する。比較により、ＣＰＵ１１は、基準リンク階層２７より深い階層のアクセスログ情報を並び替え対象から除外する。
【００７１】
上述した除外処理を経て並び替え対象に残ったアクセスログ情報に対してＣＰＵ１１は、設定条件２５の内容に従って並び替え処理を行う。設定条件２５の内容がウェブページのカテゴリ別（図８（ａ）の第１メニュー５０の第１ボタン５０ａに対応）になっている場合、ＣＰＵ１１は検出手段として各アクセスログ情報のカテゴリ（種類）に含まれる内容を検出すると共に、ソート手段として検出した種類ごとに分けて各アクセスログ情報の並び替えを行う。
【００７２】
そして、ＣＰＵ１１は、空欄表３０の左端の列Ｘ１に項目データ２１に含まれる「新聞系」、「検索系」、「買物系」、「ＴＶ系」、「リンク系」、「その他」と云う項目文字を配置すると共に、それらの項目文字に対応するアクセスログ情報が含むページ情報を、それぞれ対応する項目文字と同じ行に並び替えた順に配置して、図１０に示すカテゴリ別のアクセス履歴表４０を作成する。なお、図１０では、アクセス履歴表４０を簡易的に示しており、配置したページ情報のウェブページ名のみを表した図にしている。（図１１、１２でも同様）。また、アクセス履歴表４０において、各行Ｙ１〜Ｙ６の列Ｘ２以降に配置されるウェブページ名は、アクセス日の新しい順に列Ｘ２から並んでいる。
【００７３】
また、補助メモリ７に記憶される設定条件２５がウェブページのポータルサイト別（第１メニュー５０の第２ボタン５０ｂに対応）になっている場合、ＣＰＵ１１はポータルサイト検出手段として、並び替え対象に残ったアクセスログ情報に含まれるＵＲＬと、図７（ａ）のポータルサイト一覧テーブル２３に含まれるＵＲＬとを比較してポータルサイトの検出処理を行う。具体的には、アクセスログ情報に含まれるＵＲＬが、ポータルサイト一覧テーブル２３に含まれるＵＲＬと一致することを検出した場合、ＣＰＵ１１は、そのアクセスログ情報に応じたウェブページをポータルサイトに特定する。
【００７４】
さらに、ＣＰＵ１１はリンクサイト検出手段として、特定したポータルサイトにリンクするウェブページを、残ったアクセスログ情報の中から検出する処理を行う。詳しくは、検出対象のアクセスログ情報のＵＲＬと、特定した各ポータルサイトのＵＲＬとを比較し、アクセスログ情報のＵＲＬが、ポータルサイトのＵＲＬを含むか否かを検出し、ポータルサイトのＵＲＬ含む場合、ＣＰＵ１１はアクセスログ情報に係るウェブページが、ＵＲＬを含むポータルサイトにリンクすると特定する。
【００７５】
それからＣＰＵ１１は、特定したポータルサイトに係るアクセスログ情報のページ情報を空欄表３０の左端の列Ｘ１（格子状の一辺に沿った箇所に相当）に順次配置すると共に、配置した各ポータルサイトに対応する同一行Ｙ１、Ｙ２・・・等における列Ｘ２以降の欄に、そのポータルサイトにリンクするウェブページに応じたページ情報を配置して図１１に示すポータルサイト別のアクセス履歴表４１を作成する。また、ＣＰＵ１１は、ポータルサイトにリンクしないアクセスログ情報のページ情報を、「その他」の項目文字を配置した行Ｙ７の列Ｘ２以降の欄に順次配置する。なお、アクセス履歴表４１においても、各行Ｙ１、Ｙ２・・・の列Ｘ２以降に配置されるページ情報は、アクセス日の新しい順に列Ｘ２から配置されている。
【００７６】
また、補助メモリ７に記憶される設定条件２５がウェブページのアクセス回数順（第１メニュー５０の第３ボタン５０ｃに対応）になっている場合、ＣＰＵ１１は回数特定手段として、並び替え対象に残ったアクセスログ情報の中で、同一のウェブページ（ＵＲＬ）に係るアクセスログ情報の数を計数し、計数した値をアクセス回数として特定する。そして、ＣＰＵ１１はソート手段として、計数した回数が多い順にアクセスログ情報を並び替える。それから、ＣＰＵ１１は、格子状の空欄表３０の左端の列Ｘ１に、項目データ２１に含まれる「１〜４位」、「５〜８位」、「９〜１２位」、「１３〜１６位」、「１７〜２０位」、「２１〜２４位」と云う項目文字を配置すると共に、それらの項目文字に対応した順位のアクセスログ情報が含むページ情報を並び替えた順に配置して、図１２に示すアクセス回数順のアクセス履歴表４２を作成する。
【００７７】
さらに、設定条件２５がウェブページのアクセス時間順（第１メニュー５０の第４ボタン５０ｄに対応）になっている場合、ＣＰＵ１１は時間特定手段として、並び替え対象に残ったアクセスログ情報の中で、同一のウェブページ（ＵＲＬ）に係る各アクセスログ情報に含まれるアクセス時間を足し合わせて、同一のウェブページごとのアクセス時間を特定する。そして、ＣＰＵ１１はソート手段として、特定したアクセス時間の長い順にウェブページに応じたアクセスログ情報を並び替える。それから、ＣＰＵ１１は、空欄表３０の左端の列Ｘ１に項目データ２１に含まれる「１〜４位」、「５〜８位」、「９〜１２位」、「１３〜１６位」、「１７〜２０位」、「２１〜２４位」と云う項目文字を配置すると共に、それらの項目文字に対応した順位のアクセスログ情報に含まれるページ情報を並び替えた順に配置して、アクセス履歴表を作成する。なお、アクセス時間順に作成されたアクセス履歴表の形態は、図１２に示すアクセス履歴表４２と同等になる。
【００７８】
さらにまた、設定条件２５がウェブページのアクセス回数及びアクセス時間順（第１メニュー５０の第５ボタン５０ｅに対応）になっている場合、ＣＰＵ１１は回数特定手段として各アクセスログ情報のアクセス回数を特定すると共に、時間特定手段としてウェブページごとのアクセス時間を求める。さらに、ＣＰＵ１１は、求めたアクセス回数及びアクセス時間に対するポイントを図７（ｂ）のポイントテーブル２４に基づいて、アクセスログ情報毎に算出する。そして、ＣＰＵ１１はソート手段として、算出したポイント順にアクセスログ情報を並び替える。それから、ＣＰＵ１１は、空欄表３０の左端の列Ｘ１に項目データ２１に含まれる「１〜４位」、「５〜８位」、「９〜１２位」、「１３〜１６位」、「１７〜２０位」、「２１〜２４位」と云う項目文字を配置すると共に、それらの項目文字に対応した順位のアクセスログ情報が含むページ情報を並び替えた順に配置して、アクセス履歴表を作成する。なお、アクセス回数及びアクセス時間順に作成されたアクセス履歴表の形態も、図１２に示すアクセス履歴表４２と同等になる。
【００７９】
上述した各処理で作成されたアクセス履歴表４０〜４２は、ＯＳＤ表示部４ｂへ送られ、ＯＳＤ表示部４ｂで上下スクロールバーが付加された状態で表示パネル１ａに表示される。また、表示されたアクセス履歴表４１の各欄に配置されるウェブページ名は、リモコン装置１５の操作により選択可能であり、選択された場合、そのページ情報に係るＵＲＬがＣＰＵ１１へ伝達され、ＣＰＵ１１の制御に基づきアクセスを行って該当するサイトページが表示される。
【００８０】
図１３に示すフローチャートは、アクセス履歴表４０〜４２の作成に至るまでの一連の処理手順（アクセス履歴表作成方法の手順）を整理したものである。以下、このフローチャートに従ってテレビジョン装置１におけるアクセス履歴表４０〜４２の作成処理を説明する。
【００８１】
先ず、テレビジョン装置１は、設定準備段階で図８（ａ）（ｂ）に示す第１メニュー５０、第２メニュー５１等を通じて各種条件の設定がユーザにより行われたか否かを判断する（Ｓ１）。条件設定が行われた場合（Ｓ１）、設定内容を補助メモリ７に記憶する（Ｓ２）。また、条件設定が行われない場合（Ｓ２）、デフォルト内容を維持する（Ｓ３）。それから、テレビジョン装置１は、リモコン装置１５のアクセス履歴キー１５ｂが操作されてアクセス履歴表の表示指示を受け付けたか否かを判断する（Ｓ４）。
【００８２】
表示指示を受け付けていない場合（Ｓ４：ＮＯ）、指示待ちとなり、表示指示を受け付けた場合（Ｓ４：ＹＥＳ）、テレビジョン装置１は、補助メモリ７に記憶された条件設定２５、基準期間２６、基準リンク階層２７の内容に基づき、アクセス履歴２２の中から配置対象となるアクセスログ情報を抽出して並び替えを行い、空欄表３０に所定の項目文字と共にアクセスログ情報のページ情報を並び替えた順に配置してアクセス履歴表（図１０〜１２参照）を作成する（Ｓ５）。
【００８３】
このように作成された各アクセス履歴表４０〜４２は、ユーザの設定した条件に応じた配置内容になるため、従来に比べて見やすく且つユーザの使い勝手に応じた配列になっている。また各アクセス履歴表４０〜４２は、格子状の空欄表３０を用いて作成されるので、一度にページ情報（ウェブページ名）を多数表示でき、一覧性を向上している。さらに図１１のアクセス履歴表４１は、格子状の一角側に相当する左上側の欄（Ｘ２、Ｙ１）から並び替えた順にページ情報が表示されるので、表中の左上側付近に配置されたページ情報がユーザのアクセス頻度が高く、表中の右下側付記に配置されたページ情報がアクセス頻度の低いものになるので、アクセス頻度に応じた内容が対角的に配置され、ユーザ自信のサイト利用度の感覚に基づき配置内容の選択が容易になっている。さらにまた、各アクセス履歴表４０〜４２は、電子番組表３１の空欄表３０を利用するので、アクセス履歴表専用の表データ及びプログラム等は不要になり、開発コスト及び開発工期を削減できると共に、内容を改良する場合は、一度の改良を多くの対象に反映できる。
【００８４】
なお、本発明は、上述した説明内容に限定されるものではなく、種々の変形例が存在する。例えば、図１０〜１２のアクセス履歴表４０〜４２では、表に配置する内容を水平方向（Ｘ方向）の行に沿って並べているが、垂直方向（Ｙ方向）の列に沿って各内容を並べて配置することも可能であり、表示する項目数等に応じて配置する方向を水平又は垂直のいずれにするかを決定することが好適である。また、各アクセス履歴表４０〜４２に配置するページ情報の中身は、装置仕様又はユーザの設定等に応じてウェブページ名のみ、ＵＲＬのみ等にしてもよい。
【００８５】
さらに、種類別の配置になるカテゴリ別（図８（ａ）の第１メニュー５０の第１ボタン５０ａに対応）、及びポータルサイト別（第２ボタン５０ｂに対応）に対しては、アクセス回数順、アクセス時間順、アクセス回順及び時間順のいずれかの条件を更に組み合わせてアクセスログ情報の並び替えを行ってもよい。この場合、図８（ａ）の第１メニュー５０において、第１ボタン５０ａ、又は第２ボタン５０ｂのいずれかが選択されたとき、図１４に示す第３メニュー５２の表示を行う仕様にする。第３メニュー５２は、アクセス回収順に並び替えることを選択する第７ボタン５２ａ、アクセス時間順に並び替えることを選択する第８ボタン５２ｂ、アクセス回数及びアクセス時間順に並び替える第９ボタン５２ｃ、図８（ｂ）の第２メニュー５１への表示切替用の第１０ボタン５２ｄを有する。
【００８６】
そのため、第１メニュー５０でカテゴリ別の第１ボタン５０ａが選択され、第３メニュー５２でアクセス回数順の第７ボタン５２ａが選択された場合、図１０のアクセス履歴表４０では、列Ｘ２から図中の右方へ、アクセス回数の多い順からアクセスログ情報のページ情報がカテゴリ別に配置されることになる。なお、第１ボタン５０ａが選択されて、第８ボタン５２ｂ又は第９ボタン５２ｃが選択された場合も同様に、並び替えた順に列Ｘ２から図中の右方へページ情報が配置される。
【００８７】
また、第１メニュー５０でポータルサイト別の第２ボタン５０ｂが選択され、第３メニュー５２でアクセス回数順の第７ボタン５２ａが選択された場合、図１１のアクセス履歴表４１では、先ず左端の列Ｘ１において、アクセス回数の多い順に行Ｙ１（表の一辺の一端側に相当）から図中の下方へポータルサイトに係るアクセスログ情報に応じたページ情報が配置され、さらに、列Ｘ２（対応するポータルサイトに隣接する箇所に相当）から図中の右方へ、アクセス回数の多い順からアクセスログ情報に応じたページ情報が、リンクするポータルサイトと同一行に順次配置されることになる。なお、第２ボタン５０ｂが選択されて、第８ボタン５２ｂ又は第９ボタン５２ｃが選択された場合も同様に、ポータルサイトに係るアクセスログ情報のページ情報が左端の列Ｘ１において並び替えた先頭から順に配置されると共に、各ポータルサイトにリンクするウェブページのアクセスログ情報のページ情報が列Ｘ２から図中の右方へ並び替えた先頭から順次配置される。
【００８８】
このように作成されるカテゴリ別のアクセス履歴表では、左上の欄（Ｘ１、Ｙ１）が最もアクセス頻度の高いポータルサイトのページ情報になると共に、左上側付近の欄（Ｘ２、Ｙ１）のページ情報がアクセス頻度に高いウェブページになり、逆に右下付近に配置されるページ情報がアクセス頻度の低いウェブページとなり、アクセス頻度に応じた内容を対角的に配置してユーザの使い勝手の向上を図れる。
【００８９】
また、アクセス履歴表作成に関する条件設定の簡略化を図ることも可能であり、例えば、図８（ｂ）の第２メニュー５１に示した基準期間又は基準リンク階層のいずれか、若しくは両方を省略して処理負担の低減を図ってもよい。さらに、図８（ａ）の第１メニュー５０で示す５種類の条件全てを常に選択できる仕様にする以外に、テレビジョン装置１のグレードに応じて選択できる条件の数を減少すること、又はいずれか１つに固定することも可能である。さらにまた、アクセス履歴表の作成については、電子番組表３１の空欄表３０を共用するのではなく、アクセス履歴表専用の表データを用いることも可能である。この場合は、格子状の表以外にも、円グラフ状の表、バーグラフ上の表など様々な形態の表データを用いてアクセス履歴表を作成できる。
【００９０】
また、本発明の適用対象になる装置はテレビジョン装置に限定されず、ネットワーク接続機能を有してウェブページへアクセスする機能を有する装置であれば、本発明の適用対象となる。例えば、ネットワーク接続機能及びウェブページアクセス機能を具備したコンピュータ、ＰＤＡ、携帯電話機、テレビジョン装置、及び録画装置等にも本発明を適用できる。
【図面の簡単な説明】
【００９１】
【図１】本発明の実施形態に係るテレビジョン装置の外観を示す概略図である。
【図２】実施形態のテレビジョン装置の主要な内部構成を示すブロック図である。
【図３】（ａ）はＲＯＭの記憶内容を示す概略図であり、（ｂ）は補助メモリの記憶内容を示す概略図である。
【図４】空欄表を示す図表である。
【図５】電子番組表を示す図表である。
【図６】アクセスログ情報を蓄積したアクセス履歴の概略図である。
【図７】（ａ）はポータルサイト一覧テーブルを示す図表であり、（ｂ）はポイントテーブルを示す図表である。
【図８】（ａ）は第１メニューを示す概略図、（ｂ）は第２メニューを示す概略図である。
【図９】ウェブサイトを構成するウェブページのリンク階層を表す概略図である。
【図１０】カテゴリ別のアクセス履歴表を示す図表である。
【図１１】ポータルサイト別のアクセス履歴表を示す図表である。
【図１２】アクセス回数順のアクセス履歴表を示す図表である。
【図１３】アクセス履歴表作成に係る処理手順を示すフローチャートである。
【図１４】第３メニューを示す概略図である。
【符号の説明】
【００９２】
１  テレビジョン装置
１ｂ  表示パネル
２ｂ  チューナ部
４ｂ  ＯＳＤ表示部
５  ＲＯＭ
６  ＲＡＭ
７  補助メモリ
１０  通信部
１１  ＣＰＵ
２２  アクセス履歴
２３  ポータルサイト一覧テーブル
２４  ポイントテーブル
２５  設定条件
２６  基準期間
２７  基準リンク階層
３０  空欄表
３１  電子番組表
４０〜４２  アクセス履歴表
Ｐ２  表作成プログラム
Ｄ  表データ
【図１】
0004776444.tif 000002
【図２】
0004776444.tif 000003
【図３】
0004776444.tif 000004
【図４】
0004776444.tif 000005
【図５】
0004776444.tif 000006
【図６】
0004776444.tif 000007
【図７】
0004776444.tif 000008
【図８】
0004776444.tif 000009
【図９】
0004776444.tif 000010
【図１０】
0004776444.tif 000011
【図１１】
0004776444.tif 000012
【図１２】
0004776444.tif 000013
【図１３】
0004776444.tif 000014
【図１４】
0004776444.tif 000015